(57)【要約】      （修正有）【課題】ユーザに最新の医療情報を提供し続ける情報閲覧システムの提供を目的とする。【解決手段】本システムの、サーバ装置１は、出稿者により出稿された情報をユーザによる閲覧の対象となる閲覧情報として記憶する閲覧情報記憶手段と、情報端末から表示要求を受信する表示要求受信手段と、表示要求を受信すると閲覧情報記憶手段に記憶された閲覧情報を情報端末に送信する閲覧情報送信手段と、出稿者ごとにポイントを記憶するポイント記憶手段と、表示要求受信手段により受信した表示要求に対応する閲覧情報の出稿者に対して、ポイント記憶手段に記憶されたポイントを加算するポイント加算手段とを備える。情報端末は、閲覧情報の表示要求をサーバ装置に送信する表示要求送信手段と、閲覧情報を受信する閲覧情報受信手段と、閲覧情報を受信すると閲覧情報に基づいた表示内容を表示する表示手段とを備える。【選択図】図３
2018032108.tif 000002
【特許請求の範囲】
【請求項１】
情報端末と、該情報端末と通信による接続が可能なサーバ装置とを備えた情報閲覧システムであって、
サーバ装置が、
出稿者により出稿された情報をユーザによる閲覧の対象となる閲覧情報として記憶する閲覧情報記憶手段と、
情報端末から表示要求を受信する表示要求受信手段と、
表示要求受信手段により表示要求を受信すると、閲覧情報記憶手段に記憶された閲覧情報を情報端末に送信する閲覧情報送信手段と、
出稿者ごとに情報閲覧システムにて利用可能なポイントを記憶するポイント記憶手段と、
表示要求受信手段により受信した表示要求に対応する閲覧情報の出稿者に対して、ポイント記憶手段に記憶されたポイントを加算するポイント加算手段
とを備え、
情報端末が、
閲覧情報の表示要求をサーバ装置に送信する表示要求送信手段と、
サーバ装置から閲覧情報を受信する閲覧情報受信手段と、
閲覧情報受信手段により閲覧情報を受信すると、閲覧情報に基づいた表示内容を表示装置に表示する閲覧情報表示手段と
を備える、情報閲覧システム。
【請求項２】
サーバ装置が、
出稿者が情報を出稿すると、出稿者にポイントが加算される出稿ポイント加算手段を備える請求項１に記載の情報閲覧システム。
【請求項３】
サーバ装置が、
出稿者により出稿された情報の格付けを記憶する格付記憶手段と、
格付記憶手段に記憶された格付けに応じて、出稿者に加算するポイントを決定する加算ポイント決定手段と
を備える、請求項１又は２に記載の情報閲覧システム。
【請求項４】
サーバ装置が
表示要求受信手段により表示要求を受信した回数を、閲覧情報ごとに計数する表示要求計数手段と、
閲覧情報の出稿者に対して、表示要求計数手段により計数された回数に応じたポイントを、ポイント記憶手段に記憶されたポイントに加算する閲覧ポイント加算手段と
を備える、請求項１〜３いずれかに記載の情報閲覧システム。
【請求項５】
サーバ装置が、
閲覧情報送信手段によって閲覧情報を情報端末に送信した際、閲覧情報に応じたポイントを、ポイント記憶手段に記憶されたポイントから減算するポイント減算手段を備える、請求項１〜４いずれかに記載の情報閲覧システム。
【請求項６】
サーバ装置が、
ユーザから閲覧情報についてコメントを受け付けるコメント受付手段と、
コメント受付手段により受け付けたコメントを記憶するコメント記憶手段と、
コメントがついた閲覧情報の出稿者による回答を受け付ける回答受付手段と
を備える、請求項１〜５いずれかに記載の情報閲覧システム。
【発明の詳細な説明】
【技術分野】
【０００１】
本発明は、情報閲覧システムに関する。
【背景技術】
【０００２】
従来、医師や歯科医師は、患者の診療において、患者の病態から病気を推定し、診断してきた。診断は、医師等が自身の経験に基づいて行うこともあれば、医学書籍を閲覧して行うこともあった。
【０００３】
一方、医療技術、製薬技術の進歩は速く、専門医等の研究開発による新しい発見等で診療に関する情報は変化し続けている。しかし、医師等が多忙のため新しい知識を習得する時間が設けられない、あるいは最新の医療情報を共有する仕組みの整備が不十分である等の原因により、最新の診療に関する知識を有さないまま診療を続けている医師等が存在する。このため、特定の病気に対して劇的に効果を発揮する新薬を医師等が処方できない等、効率の良い診療がなされず、医師等だけでなく患者にも費用的又は時間的な負担を強いることがあった。
【０００４】
さらに、従来の情報共有システムでは、情報が定期的に更新されずに陳腐化し、その結果ユーザに使用されず、さらに情報が更新されないという悪循環に陥ってしまうこともあった。
【発明の概要】
【発明が解決しようとする課題】
【０００５】
本発明は、このような課題を解決するため、ユーザに最新の医療情報を提供し続けるシステムの提供を目的とする。
【課題を解決するための手段】
【０００６】
本発明は、情報端末と、該情報端末と通信による接続が可能なサーバ装置とを備えた情報閲覧システムであって、サーバ装置が、出稿者により出稿された情報をユーザによる閲覧の対象となる閲覧情報として記憶する閲覧情報記憶手段と、情報端末から表示要求を受信する表示要求受信手段と、表示要求受信手段により表示要求を受信すると、閲覧情報記憶手段に記憶された閲覧情報を情報端末に送信する閲覧情報送信手段と、出稿者ごとに情報閲覧システムにて利用可能なポイントを記憶するポイント記憶手段と、表示要求受信手段により受信した表示要求に対応する閲覧情報の出稿者に対して、ポイント記憶手段に記憶されたポイントを加算するポイント加算手段とを備え、情報端末が、閲覧情報の表示要求をサーバ装置に送信する表示要求送信手段と、サーバ装置から閲覧情報を受信する閲覧情報受信手段と、閲覧情報受信手段により閲覧情報を受信すると、閲覧情報に基づいた表示内容を表示装置に表示する閲覧情報表示手段とを備える、情報閲覧システムに関する。
【０００７】
本発明では、専門医等が情報を更新することで、本発明のシステムを利用するユーザは最新の医療情報を入手できる。最新の医療情報を共有することで、医師等の有する知識が豊富になり、医療水準を向上させることができる。
【０００８】
また、ユーザが情報を閲覧する度に情報を出稿した者にポイントが加算されるため、出稿者はより質の高い情報を出稿するように競争する。その結果、サーバ装置には質の高い情報が集まることとなる。
【０００９】
情報端末において、サーバ装置に閲覧情報の表示要求を送信する際、ユーザが閲覧したい情報を検索できるようにしても良い。検索は、例えば、疾病名、病態、治療方法、薬剤等の検索ワードを入力し、検索ワードを含む情報を部分一致の条件で検索する方法や、分類別にリストから選択する方法などが考えられる。
【００１０】
さらに、サーバ装置が、出稿者が情報を出稿すると、出稿者にポイントが加算される出稿ポイント加算手段を備えることが好ましい。
【００１１】
さらに、サーバ装置が、出稿者により出稿された情報の格付けを記憶する格付記憶手段と、格付記憶手段に記憶された格付けに応じて、出稿者に加算するポイントを決定する加算ポイント決定手段とを備えることが好ましい。情報の格付けは、情報の内容を確認した者あるいは団体等により評価されても良いし、サーバ装置に集められた情報の件数に応じて自動的に決定されても良い。
【００１２】
また、ユーザの属性（職位）によって格付けを変えても良い。例えば、出稿者が教授であれば格付Ａ、一般医師なら格付Ｄのように差を付けることができる。高名な教授の情報を欲するユーザは多いため、出稿によって加算されるポイントを多くすることが望ましい。このようにして、高名な専門医等からの情報をより多くサーバ装置に集めることができる。情報の対象となる疾病によって格付けを変えることもできる。例えば、患者の絶対数が少ない難病になるほど、出稿により得られるポイントを多くすることで、より情報の収集が困難な疾病に関する情報の出稿を促すことができる。
【００１３】
さらに、サーバ装置が、表示要求受信手段により表示要求を受信した回数を、閲覧情報ごとに計数する表示要求計数手段と、閲覧情報の出稿者に対して、表示要求計数手段により計数された回数に応じたポイントを、ポイント記憶手段に記憶されたポイントに加算する閲覧ポイント加算手段とを備えることが好ましい。
【００１４】
特定の期間内に、情報が閲覧された回数を集計してランキングを作成し、上位の出稿者に順位に応じたポイントを加算することもできる。また、出稿した回数によるランキングに応じてポイントを加算しても良い。
【００１５】
さらに、サーバ装置が、閲覧情報送信手段によって閲覧情報を情報端末に送信した際、閲覧情報に応じたポイントを、ポイント記憶手段に記憶されたポイントから減算するポイント減算手段を備えることが好ましい。
【００１６】
ポイントは、例えば、サーバ装置が提供する閲覧情報が有料と無料のコンテンツを含むものであって、情報端末からのみ閲覧できるものであるとき、有料のコンテンツを閲覧する際に使用できるようにしても良い。このようにすることで、本来であればポイントを購入して初めて閲覧できるコンテンツを、出稿者は貯めたポイントを使用して無料で閲覧し、情報を得ることができる。出稿者は、無料でさらに多くのコンテンツを閲覧するために、新しい情報を出稿してポイントを貯めるようになる。その結果、サーバ装置に新しい情報を集めることができる。
【００１７】
さらに、サーバ装置が、ユーザから閲覧情報についてコメントを受け付けるコメント受付手段と、コメント受付手段により受け付けたコメントを記憶するコメント記憶手段と、コメントがついた閲覧情報の出稿者による回答を受け付ける回答受付手段とを備えることが好ましい。
【００１８】
ユーザが閲覧情報について質問をしたい場合には、コメントとして質問することができる。ここで、サーバ装置のコメント受付手段は、情報端末から通信によって送信する、あるいは書面等で郵送し、サーバ装置に質問を登録するものであっても良い。
【００１９】
さらに、専門医等に患者を紹介することもできる。患者の病態等をコメントとして記載し、専門医に受け入れ可否を打診して、専門医から回答を受け付けることができる。従来の紹介制度では、診療情報提供書を患者に渡し、患者は紹介先の医師等の受入可否が不明なまま来院することがあった。しかし、事前に打診することで、受け入れ可能な病院又は医師等を患者に紹介することができ、紹介先の病院等へスムーズに移ることが可能である。また、本システムに登録している多数の専門医の中から、その専門にあった疾病の患者が紹介されることになるため、専門医としても、効率よく紹介を受けることができるというメリットがある。
【図面の簡単な説明】
【００２０】
【図１】本発明の実施の形態にかかる情報閲覧システムの構成を示すブロック図の一例である。
【図２】本発明の実施の形態における情報端末の機能を説明するためのブロック図の一例である。
【図３】本発明の実施の形態におけるサーバ装置の機能を説明するためのブロック図の一例である。
【図４】本発明の実施の形態にかかる閲覧情報表示処理のフローチャートの一例を示す図である。
【図５】本発明の実施の形態にかかるポイント加算処理のフローチャートの一例を示す図である。
【図６】本発明の実施の形態にかかる情報閲覧画面の一例を示す図である。
【図７】本発明の実施の形態にかかるユーザデータベースの一例を示す図である。
【図８】本発明の実施の形態にかかる情報格付データベースの一例を示す図である。
【図９】本発明の実施の形態にかかる患者の紹介処理のフローチャートの一例を示す図である。
【図１０】本発明の実施の形態にかかる紹介依頼データベースの一例を示す図である。
【発明を実施するための形態】
【００２１】
以下に、本発明の実施の形態について説明をするが、本発明の趣旨に反しない限り、本発明は、実施の形態に記載された態様に限定されるものではない。図１は、本発明の実施の形態にかかる情報閲覧システムの構成を示すブロック図の一例である。図示するように、情報閲覧システムは、サーバ装置１、通信ネットワーク２及び複数の情報端末３から構成される。情報端末３は、本発明の情報閲覧システムを導入した医療機関毎に少なくとも１台ずつ設けられることが好ましい。
【００２２】
サーバ装置１は、制御部１１、ＲＡＭ（Ｒａｎｄｏｍ  Ａｃｃｅｓｓ  Ｍｅｍｏｒｙ）１２、ハードディスク・ドライブ（ＨＤＤ）１３、及び、通信インタフェース１４からなり、それぞれ内部バスにより接続されている。通信インタフェース１４は、通信ネットワーク２を介して後述する情報端末３と接続されている。
【００２３】
制御部１１は、ＣＰＵ（Ｃｅｎｔｒａｌ  Ｐｒｏｃｅｓｓｉｎｇ  Ｕｎｉｔ）やＲＯＭ（Ｒｅａｄ  Ｏｎｌｙ  Ｍｅｍｏｒｙ）から構成される。制御部１１は、ＨＤＤ１３に格納されたプログラムを実行し、サーバ装置１の制御を行なう。ＲＡＭ１２は、制御部１１のワークエリアである。ＨＤＤ１３は、プログラムやデータを保存するための記憶領域である。情報閲覧システムの実行に必要なプログラムやデータは、ＨＤＤ１３などから読み出され、ＲＡＭ１２にロードされる。
【００２４】
制御部１１は、情報閲覧システムにおける各種処理の実行に必要なプログラム及びデータをＲＡＭ１２から読み出して処理を行なう。制御部１１は、ＲＡＭ１２にロードされたプログラム及びデータを処理することで、情報端末３に送信するデータを生成し、通信インタフェース１４から通信ネットワーク２を介してデータを送信する。また、必要に応じて、情報端末３から通信インタフェース１４が受信したデータや制御部１１が処理したデータは、ＨＤＤ１３に記憶される。
【００２５】
通信インタフェース１４は、通信ネットワーク２を介して情報端末３の通信インタフェース３６と接続することにより、情報の送受信を行う。
【００２６】
通信ネットワーク２は、サーバ装置１と情報端末３とを接続できるものであれば、インターネット、専用回線等どのようなものであっても良いが、送受信される情報の機密保持の観点から、ＶＰＮ接続等の第三者への情報漏洩を防ぐことのできる通信方法を用いた通信ネットワークであることが好ましい。
【００２７】
情報端末３は、制御部３１、ＲＡＭ（Ｒａｎｄｏｍ  Ａｃｃｅｓｓ  Ｍｅｍｏｒｙ）３２、ハードディスク・ドライブ（ＨＤＤ）３３、入力装置３４、表示装置３５、通信インタフェース３６からなり、それぞれ内部バスにより接続されている。表示装置３５には、表示画面３５ａが設けられている。
【００２８】
制御部３１は、ＣＰＵ（Ｃｅｎｔｒａｌ  Ｐｒｏｃｅｓｓｉｎｇ  Ｕｎｉｔ）やＲＯＭ（Ｒｅａｄ  Ｏｎｌｙ  Ｍｅｍｏｒｙ）から構成される。制御部３１は、ＨＤＤ３３に格納されたプログラムを実行し、情報端末３の制御を行う。ＲＡＭ３２は、制御部３１のワークエリアである。ＨＤＤ３３は、プログラムやデータを保存するための記憶領域である。情報端末３における各種処理の実行に必要なプログラムやデータは、ＨＤＤ３３、通信ネットワーク２を介してサーバ装置１からデータを受信した通信インタフェース３６、入力装置３４などから読み出され、ＲＡＭ３２にロードされる。
【００２９】
制御部３１は、情報端末３における各種処理の実行に必要なプログラム及びデータをＲＡＭ３２から読み出して処理を行なう。制御部３１は、ＲＡＭ３２にロードされたプログラム及びデータを処理することで、サーバ装置１に送信するデータを生成し、通信インタフェース３６から通信ネットワーク２を介してデータを送信する。
【００３０】
入力装置３４には、マウスやキーボード、タッチパネル等といった入力デバイスが具備されており、ユーザである医師等（例えば、医師、歯科医師）からの操作入力や情報入力が受け付けられる。
【００３１】
表示装置３５は、ユーザが閲覧する情報を表示するための表示画面３５ａを具備する。情報端末３の表示画面３５ａは、複数設けられていても良い。制御部３１が処理したデータは、必要に応じて、表示装置３５の表示画面３５ａに表示される。
【００３２】
通信インタフェース３６は、通信ネットワーク２を介してサーバ装置１の通信インタフェース１４と接続することにより、情報の送受信を行う。
【００３３】
図２は、本発明の実施の形態における情報端末の機能を説明するためのブロック図の一例である。本発明における情報端末３は、表示要求送信機能４１、閲覧情報受信機能４２及び閲覧情報表示機能４３を備える。制御部３１により、これらの機能の実行が制御される。
【００３４】
図３は、本発明の実施の形態におけるサーバ装置の機能を説明するためのブロック図の一例である。本発明におけるサーバ装置１は、表示要求受信機能５１、閲覧情報送信機能５２、ポイント加算機能５３、出稿ポイント加算機能５４、加算ポイント決定機能５５、表示要求計数機能５６、閲覧ポイント加算機能５７、ポイント減算機能５８、コメント受付機能５９及び回答受付機能６０を備える。制御部１１により、これらの機能の実行が制御される。
【００３５】
サーバ装置１の閲覧情報送信機能５２は、情報端末３へ閲覧情報を送信する機能を有する。情報端末３の閲覧情報受信機能４２は、サーバ装置１から閲覧情報を受信する機能を有する。
【００３６】
情報端末３にて情報閲覧システムが起動すると、情報端末３がサーバ装置１にアクセスする。この際、ユーザを識別するため、ユーザＩＤとパスワードを使用してログインするようにしても良い。
【００３７】
図４は、本発明の実施の形態にかかる閲覧情報表示処理のフローチャートの一例を示す図である。情報端末３は表示要求送信機能４１により表示要求をサーバ装置１に送信し（ステップＳ１）、サーバ装置１は表示要求受信機能５１で表示要求を受信する（ステップＳ２）。その後、後述するポイント加算処理（ステップＳ３）を経て、閲覧情報送信機能５２により閲覧情報を情報端末３へ送信する（ステップＳ４）。情報端末３は、閲覧情報受信機能４２で送信された閲覧情報を受信し（ステップＳ５）、閲覧情報表示機能４３によって表示画面３５ａに閲覧情報を表示する（ステップＳ６）。
【００３８】
図５は、本発明の実施の形態にかかるポイント加算処理のフローチャートの一例を示す図である。サーバ装置１のポイント加算機能５３は、情報端末３から表示要求を受信し（ステップＳ１１）、要求のあった閲覧情報の出稿者を特定し（ステップＳ１２）、サーバ装置１がポイント記憶手段により記憶した、特定された該出稿者のポイントにポイントを加算し（ステップＳ１３）、加算されたポイントを出稿者のポイントとして更新する（ステップＳ１４）ものである。加算するポイントは、常に一定でも良いし、あるいは、例えば出向者の職位や閲覧情報の内容等の条件に従って選択、決定されるものでも良い。
【００３９】
図６は、本発明の実施の形態にかかる情報閲覧画面の一例を示す図である。情報端末３の表示装置３５に表示される情報閲覧画面は、検索入力枠７１、検索結果表示枠７２、情報閲覧表示枠７３、紹介ボタン７４、質問ボタン７５を有する。
【００４０】
ユーザは閲覧情報を表示する際、例えば、検索入力枠７１に入力装置３４を用いて情報を入力することで、検索情報と合致する閲覧情報を検索することができるようにしても良い。検索条件は完全一致又は部分一致を選択できる、あるいはＡＮＤ条件やＯＲ条件で検索情報を複数指定して検索できるとより検索しやすい。検索条件に合致する結果は、例えば、検索結果表示枠７２に一覧で表示しても良い。さらに、ユーザが検索結果表示枠７２に表示された複数の項目のうち、いずれか１つを選択すると、項目の詳細な情報が情報閲覧表示枠７３に表示される。ここで、情報閲覧表示枠７３に情報が表示された状態になったときに、紹介ボタン７４及び質問ボタン７５が使用可能となるように設計しても良い。紹介ボタン７４及び質問ボタン７５の機能については後述する。
【００４１】
さらに、サーバ装置１は、出稿ポイント加算機能５４により、新しい情報が出稿された際、出稿者にポイントを加算することができる。出稿者は、ユーザの情報の閲覧によるポイント加算機能５３だけでなく、出稿ポイント加算機能５４によってもポイントを獲得でき、ポイントを貯めることができる。さらに、出稿された情報は、第三者機関等による承認を経て登録されるようにすることが望ましい。製薬会社と大学病院等が薬剤の臨床試験データを改ざんする事件等が発生し、患者が効果のない治療を受け続けさせられるという被害に遭ったため、情報の信頼性を確保することが社会的に強く求められているからである。また、出稿後一定期間更新されない情報について、サーバ装置１から出稿者に対して、更新を依頼するアラートを送信しても良い。これにより、定期的に情報が更新され、情報の陳腐化を防ぐことができる。
【００４２】
サーバ装置１の加算ポイント決定機能５５は、情報の格付けに応じて、出稿者に対して付与されるポイントを決定する機能である。情報の格付けは、例えば、出稿者の職位や、出稿した情報が対象とする病気の重症度等によって定めることができる。
【００４３】
図７は、本発明の実施の形態にかかるユーザデータベースの一例を示す図である。サーバ装置１に備えられたユーザデータベース８０には、ユーザＩＤ８１に関連付けて、氏名８２、ユーザ所属医療機関８３、職位８４、専門診療科目８５、医療機関所在地８６などが記憶されている。格付けに出稿者の職位８４（教授、准教授、講師、一般、等）を使用、又はユーザ所属医療機関８３の情報を格付けし、他の情報と組み合わせて使用しても良い。
【００４４】
図８は、本発明の実施の形態にかかる情報格付データベースの一例を示す図である。格付けデータベース９０には、出稿ユーザ職位９１、職位格付９２、疾病名９３、疾病名格付９４、総合格付９５などが記憶されている。職位格付９２は、出稿ユーザ職位９１に応じてＳ〜Ｃのランクで格付けされている。疾病名格付９４は、疾病名９３の内容に応じて、例としてＳ〜Ｃランクで格付けされている。疾病名は難病指定されている病気をＳランク、一般的な疾病名（捻挫、風邪等）をＣランクとした。総合格付９５は、職位格付９２と疾病名格付９４を組み合わせて判断した格付であり、例としてＳＳ〜Ｅランクまで記載した。加算ポイント決定機能５５は、総合格付９５に応じて、付与するポイントを決定しても良い。
【００４５】
表示要求計数機能５６は、情報端末３からの表示要求送信機能４１により送信された表示要求を表示要求受信機能５１にて受信し、閲覧情報送信機能５２によって情報端末３へ送信した回数を計数する機能である。この回数を記憶して、ある期間内（例えば１年間等）において、最も閲覧された情報の出稿者に対して、閲覧ポイント加算機能５７を使用してポイントを付与することができる。ポイントは閲覧された回数をポイントとしても良いし、ランキングを作成して、順位に応じたポイントを付与しても良い。
【００４６】
サーバ装置１が保有する閲覧情報は、無料又は有料のコンテンツがある。有料コンテンツは、例えば、有名な医師等の書籍又は資料等のテキストデータや、有名医師のセミナーや講義等の動画コンテンツ等がある。ポイント減算機能５８は、ユーザが情報端末３から該有料コンテンツを閲覧する際に、該ユーザが出稿者として保有するポイントを使用する機能である。有料コンテンツの閲覧は、通常であれば、ポイントを購入し、そのポイントを使用して閲覧するものである。しかし、出稿者としてポイントを保有するユーザは、貯めたポイントを使用できるため、ポイントを購入する必要がなく、無料で閲覧できる。このような特典により、出稿者はさらに有料コンテンツを閲覧するべくポイントを獲得しようとして、新しい情報を出稿する意欲が増すことが期待される。
【００４７】
次に、コメント受付機能５９は、サーバ装置１がユーザからのコメントを受け付ける機能である。受付方法は、例えば、情報端末３から表示装置３５に表示された紹介ボタン７４や質問ボタン７５を押下してコメントを入力し、通信回線を経由して送信する方法でも、書面等を郵送して第三者によりサーバ装置１に登録してもらう方法でも良い。回答受付機能６０も同様に、情報端末３からの受付、あるいは書面等の郵送等でも良い。
【００４８】
コメント機能には、例えば、ユーザが閲覧している情報にコメントを付けたり、閲覧情報の出稿者に対して質問ボタン７５を押下して質問する等の用途がある。回答機能により、出稿者は質問又はコメントに回答できる。もし記載に誤りがある等、情報を修正する必要があれば、内容を修正することができる。このように、コメント機能を使用して、情報の正確性が増し、質の高い情報を集めることができる。
【００４９】
図９は、本発明の実施の形態にかかる患者の紹介処理のフローチャートの一例を示す図である。ユーザは紹介ボタン７４を押下して（ステップＳ２１）、紹介情報を入力する。紹介元の情報端末３は紹介情報をサーバ装置１に送信する（ステップＳ２２）。紹介情報には、例えば、患者名、患者の住所、年齢、性別、疾病名、症状やこれまでの診断、治療、検査等の結果が含まれる。サーバ装置１は紹介依頼情報を受信し（ステップＳ２３）、依頼先の専門医を抽出する（ステップＳ２４）。この際の専門医の抽出は、疾病や患者の住んでいる地域に応じて専門医を抽出することもできる。また、紹介情報に指定する専門医を含めることもでき、指定された専門医が抽出される。したがって、ユーザは、閲覧情報を閲覧して、信頼がおけると判断をした専門医に紹介を依頼することも可能となる。さらに、紹介依頼者情報と依頼先情報を合わせてサーバ装置１に記憶させ（ステップＳ２５）、依頼先に対して、紹介依頼情報を送信する（ステップＳ２６）。
【００５０】
図１０は、本発明の実施の形態にかかる紹介依頼データベースの一例を示す図である。紹介依頼データベース１００には、ステップＳ２５で記憶した、依頼者１０１、コメント１０２、依頼先１０３、回答１０４などが登録される。
【００５１】
依頼先の情報端末３は、紹介依頼情報を受信する（ステップＳ２７）。依頼先のユーザは受信した紹介依頼情報を表示画面３５ａで確認し、入力装置３４により紹介依頼の回答を入力し（ステップＳ２８）、紹介回答をサーバ装置１へ送信する（ステップＳ２９）。サーバ装置１は紹介回答情報を受信し（ステップＳ３０）、サーバ装置１が記憶している紹介依頼データベースの回答１０４を、受信した紹介回答情報によって更新する（ステップＳ３１）。そして紹介回答情報を依頼元の情報端末３へ送信する（ステップＳ３２）。なお、紹介の依頼を受けた専門医に対して、紹介を受けるごとにポイントを加算することも可能である。
【００５２】
依頼元の情報端末３は、紹介回答情報を受信し（ステップＳ３３）、表示画面３５ａに紹介回答情報を表示する（ステップＳ３４）。紹介機能は、検索結果表示枠７２に表示される項目の出稿者全てに対して送信するようにしても良い。
【００５３】
紹介依頼機能を利用すると、例えば、ユーザが患者を他院や他の医師等に紹介する場合、コメント及び回答機能を利用して患者の受入可否を打診することができる。
【符号の説明】
【００５４】
１        サーバ装置
１００    紹介依頼データベース
１１      制御部
１２      ＲＡＭ
１３      ＨＤＤ
１４      通信インタフェース
２        通信ネットワーク
３        医療機関端末
３１      制御部
３２      ＲＡＭ
３３      ＨＤＤ
３４      入力装置
３５      表示装置
３６      通信インタフェース
８０      ユーザデータベース
９０      情報格付データベース
【図１】
2018032108.tif 000003
【図２】
2018032108.tif 000004
【図３】
2018032108.tif 000005
【図４】
2018032108.tif 000006
【図５】
2018032108.tif 000007
【図６】
2018032108.tif 000008
【図７】
2018032108.tif 000009
【図８】
2018032108.tif 000010
【図９】
2018032108.tif 000011
【図１０】
2018032108.tif 000012